(57)【要約】      （修正有）【課題】茶入の効率が高い茶入れティーカップを提供する。【解決手段】茶入れティーカップは、ティーカップ本体１３を含み、前記ティーカップ本体の中には上方に開口した水チャンバ１６が設けられ、前記水チャンバの左端壁の中にはスライドチャンバ１２が設けられ、前記スライドチャンバの中には第一磁石ブロック１１がスライドできるように設けられる。茶葉を小型ケース３６の中に入れ、ケース蓋４０を閉め、そしてモーター２５を作動させ、小型ケース３６が下に水チャンバの底部までスライドし、茶葉を湯の中に入れる。茶葉を湯の中で回転し混合させ、茶入の効率を高める。【選択図】図１
2020179073.tif 000002
【特許請求の範囲】
【請求項１】
ティーカップ本体を含み、前記ティーカップ本体の中には上方に開口した水チャンバが設けられ、前記水チャンバの左端壁の中にはスライドチャンバが設けられ、前記スライドチャンバの中には第一磁石ブロックがスライドできるように設けられ、前記第一磁石ブロックと前記スライドチャンバの頂壁との間には第一バネが連結され、前記水チャンバの底壁の中には第一空きチャンバと、前記第一空きチャンバの右側に位置している第二空きチャンバとが設けられ、前記スライドチャンバと前記第一空きチャンバとの間には左右に伸びている第一回転軸が回転できるように設けられ、前記第一回転軸の左端にはリールが固定的に設けられ、前記第一回転軸の右端には第一円盤が固定的に設けられ、前記リールと前記第一磁石ブロックとの間には鋼線が連結され、前記第一円盤の中には右方に開口した円形凹溝が設けられ、前記円形凹溝の中にはインナーラチェットが設けられ、前記第二空きチャンバと前記第一空きチャンバとの間には左右に伸びているスプライン軸が回転できるように設けられ、前記スプライン軸の左端には第二円盤と前記第二円盤の左端に位置しスライドできるように設けられた第一スプラインスリーブとが固定的に設けられ、前記第一スプラインスリーブの左端には第三円盤が固定的に設けられ、前記第三円盤と前記第二円盤の左端面との間には第二バネが連結され、前記第三円盤の左端壁の中には第二回転軸が回転できるように設けられ、前記第二回転軸には前記インナーラチェットと噛み合う歯止めが固定的に設けられ、前記歯止めと前記第三円盤の左端面との間には第三バネが連結され、前記スプライン軸の右端には歯車が固定的に設けられ、前記第二空きチャンバと前記水チャンバとの間には第一スライド溝が連通し設けられ、前記第一スライド溝の周囲には密封リングが設けられ、前記第一スライド溝の中には第二磁石ブロックがスライドできるように設けられ、前記第二磁石ブロックの底端には前記歯車と噛合するロック歯が固定的に設けられ、前記第一スライド溝の右端壁には第二スライド溝が連通し設けられ、前記第二スライド溝の中には前記第二磁石ブロックと固定的に連結された第一スライドブロックがスライドできるように設けられ、前記第一スライドブロックと前記第二スライド溝の底面との間には第四バネが連結され、前記第二空きチャンバの右端壁の中にはモーターが設けられ、前記第二空きチャンバの右端壁には前記モーターと動力が伝達できるように連結された第一主動軸が回転できるように設けられ、前記第一主動軸には第一磁石盤が固定的に設けられ、前記第二空きチャンバの中には前記スプライン軸、前記第一主動軸と噛み合う第二スプラインスリーブが設けられ、前記第二スプラインスリーブには第二磁石盤が固定的に設けられ、前記第二磁石盤と前記第一磁石盤の左端面との間には第五バネが連結され、
これにより、前記モーターが前記リールを回転連動させ、前記リールが前記鋼線を巻き、前記鋼線が前記第一磁石ブロックを下にスライドさせることを特徴とする便利な茶入れティーカップ。
【請求項２】
前記水チャンバの右端壁の中には第三空きチャンバが設けられ、前記第三空きチャンバの左端壁には前記モーターと動力が伝達できるように連結された第二主動軸が回転できるように設けられ、前記第二主動軸の右端には第一プーリーが固定的に設けられ、前記第三空きチャンバの上側の左右端壁の間には第三回転軸が回転できるように設けられ、前記第三回転軸には第四円盤と前記第四円盤の右端に位置している第二プーリーとが固定的に設けられ、前記第四円盤と前記第二プーリーとの間にはベルトが設けられ、前記第四円盤には第三磁石ブロックが上下に対称的に固定的に設けられ、前記水チャンバの後端には第三スライド溝が左右に対称的に連通し設けられ、前記第三スライド溝の中には第二スライドブロックがスライドできるように設けられ、左側の前記第二スライドブロックの左端には前記第一磁石ブロックと吸引し合う金属シートが固定的に設けられ、二つの前記第二スライドブロックの間には第四回転軸が回転できるように設けられ、前記第四回転軸には小型ケースと前記小型ケースの右側に位置している第五円盤とが固定的に設けられ、前記小型ケースの中には前記水チャンバを連通する第一抜き穴が設けられ、前記小型ケースの頂端にケース蓋を取り付けることができ、前記ケース蓋には第二抜き穴が上下に貫通し設けられ、前記第五円盤には前記第三磁石ブロックと吸引し合う第四磁石ブロックが上下に対称的に固定し設けられ、
これにより、前記第一磁石ブロックが前記金属シートを下にスライド連動させ、同時に前記第三磁石ブロックが前記第四磁石ブロックを回転連動させ、すなわち前記第二スライドブロックが下にスライドし、前記第四回転軸が回転することを特徴とする請求項１に記載の便利な茶入れティーカップ。
【請求項３】
前記水チャンバの底壁には右方に開口した排水穴が連通し設けられ、前記第一空きチャンバの底壁の中には左方に開口した第四スライド溝が設けられ、前記第四スライド溝が前記排水穴を貫通し、前記第四スライド溝の中には第一スライドロッドがスライドできるように設けられ、前記第一スライドロッドの中には上下に貫通している第三抜き穴が設けられ、前記第一スライドロッドと前記第四スライド溝の右端壁との間には第六バネが連結され、前記第四スライド溝と前記第一空きチャンバとの間には第五スライド溝が連通し設けられ、前記第五スライド溝の中には前記第一スライドロッドと固定的に連結された第二スライドロッドがスライドできるように設けられ、前記第二スライドロッドと前記第三円盤の左端面とが接触しており、
これにより、前記第一スライドロッドが右にスライドし前記第三抜き穴と前記排水穴とを連通させ、前記排水穴が排水し、同時に前記第二スライドロッドが右にスライドし前記歯止めと前記インナーラチェットとを係合状態から離脱させ、前記リールが反転でき前記第一磁石ブロックを上にスライドさせて跳ね返させることを特徴とする請求項１に記載の便利な茶入れティーカップ。
【発明の詳細な説明】
【技術分野】
【０００１】
本発明は日常用品分野を取り上げて、具体的には便利な茶入れティーカップである。
【背景技術】
【０００２】
伝統的なティーカップは機能が単一であり、茶を入れる時にマドラーを利用し、又は茶と水との混合時間を増やして茶葉と湯とを充分に混合させ、茶入れ効率が低く、時間が長く、そのほか、伝統的なティーカップは茶を入れる自動化程度が低く、茶葉を添加する時に定量的な標準がなく、同じ体積の茶と水の場合、一般的なティーカップで作った茶の口当たりが大きく違い、
従って、便利な茶入れティーカップを設計して上記の問題を解決する。
【先行技術文献】
【特許文献】
【０００３】
【特許文献１】中国特許出願公開第１０５０５４７１９号明細書
【発明の概要】
【発明が解決しようとする課題】
【０００４】
本発明の目的は便利な茶入れティーカップを提供し、それは上記の現在の技術中の問題を解決できる。
【課題を解決するための手段】
【０００５】
上記の課題を解決するため、本発明は以下の技術プランを採用する：本発明の便利な茶入れティーカップは、ティーカップ本体を含み、前記ティーカップ本体の中には上方に開口した水チャンバが設けられ、前記水チャンバの左端壁の中にはスライドチャンバが設けられ、前記スライドチャンバの中には第一磁石ブロックがスライドできるように設けられ、前記第一磁石ブロックと前記スライドチャンバの頂壁との間には第一バネが連結され、前記水チャンバの底壁の中には第一空きチャンバと、前記第一空きチャンバの右側に位置している第二空きチャンバとが設けられ、前記スライドチャンバと前記第一空きチャンバとの間には左右に伸びている第一回転軸が回転できるように設けられ、前記第一回転軸の左端にはリールが固定的に設けられ、前記第一回転軸の右端には第一円盤が固定的に設けられ、前記リールと前記第一磁石ブロックとの間には鋼線が連結され、前記第一円盤の中には右方に開口した円形凹溝が設けられ、前記円形凹溝の中にはインナーラチェットが設けられ、前記第二空きチャンバと前記第一空きチャンバとの間には左右に伸びているスプライン軸が回転できるように設けられ、前記スプライン軸の左端には第二円盤と前記第二円盤の左端に位置しスライドできるように設けられた第一スプラインスリーブとが固定的に設けられ、前記第一スプラインスリーブの左端には第三円盤が固定的に設けられ、前記第三円盤と前記第二円盤の左端面との間には第二バネが連結され、前記第三円盤の左端壁の中には第二回転軸が回転できるように設けられ、前記第二回転軸には前記インナーラチェットと噛み合う歯止めが固定的に設けられ、前記歯止めと前記第三円盤の左端面との間には第三バネが連結され、前記スプライン軸の右端には歯車が固定的に設けられ、前記第二空きチャンバと前記水チャンバとの間には第一スライド溝が連通し設けられ、前記第一スライド溝の周囲には密封リングが設けられ、前記第一スライド溝の中には第二磁石ブロックがスライドできるように設けられ、前記第二磁石ブロックの底端には前記歯車と噛合するロック歯が固定的に設けられ、前記第一スライド溝の右端壁には第二スライド溝が連通し設けられ、前記第二スライド溝の中には前記第二磁石ブロックと固定的に連結された第一スライドブロックがスライドできるように設けられ、前記第一スライドブロックと前記第二スライド溝の底面との間には第四バネが連結され、前記第二空きチャンバの右端壁の中にはモーターが設けられ、前記第二空きチャンバの右端壁には前記モーターと動力が伝達できるように連結された第一主動軸が回転できるように設けられ、前記第一主動軸には第一磁石盤が固定的に設けられ、前記第二空きチャンバの中には前記スプライン軸、前記第一主動軸と噛み合う第二スプラインスリーブが設けられ、前記第二スプラインスリーブには第二磁石盤が固定的に設けられ、前記第二磁石盤と前記第一磁石盤の左端面との間には第五バネが連結される。
【０００６】
優選の技術プランとして、前記水チャンバの右端壁の中には第三空きチャンバが設けられ、前記第三空きチャンバの左端壁には前記モーターと動力が伝達できるように連結された第二主動軸が回転できるように設けられ、前記第二主動軸の右端には第一プーリーが固定的に設けられ、前記第三空きチャンバの上側の左右端壁の間には第三回転軸が回転できるように設けられ、前記第三回転軸には第四円盤と前記第四円盤の右端に位置している第二プーリーとが固定的に設けられ、前記第四円盤と前記第二プーリーとの間にはベルトが設けられ、前記第四円盤には第三磁石ブロックが上下に対称的に固定的に設けられ、前記水チャンバの後端には第三スライド溝が左右に対称的に連通し設けられ、前記第三スライド溝の中には第二スライドブロックがスライドできるように設けられ、左側の前記第二スライドブロックの左端には前記第一磁石ブロックと吸引し合う金属シートが固定的に設けられ、二つの前記第二スライドブロックの間には第四回転軸が回転できるように設けられ、前記第四回転軸には小型ケースと前記小型ケースの右側に位置している第五円盤とが固定的に設けられ、前記小型ケースの中には前記水チャンバを連通する第一抜き穴が設けられ、前記小型ケースの頂端にケース蓋を取り付けることができ、前記ケース蓋には第二抜き穴が上下に貫通し設けられ、前記第五円盤には前記第三磁石ブロックと吸引し合う第四磁石ブロックが上下に対称的に固定し設けられる。
【０００７】
優選の技術プランとして、前記水チャンバの底壁には右方に開口した排水穴が連通し設けられ、前記第一空きチャンバの底壁の中には左方に開口した第四スライド溝が設けられ、前記第四スライド溝が前記排水穴を貫通し、前記第四スライド溝の中には第一スライドロッドがスライドできるように設けられ、前記第一スライドロッドの中には上下に貫通している第三抜き穴が設けられ、前記第一スライドロッドと前記第四スライド溝の右端壁との間には第六バネが連結され、前記第四スライド溝と前記第一空きチャンバとの間には第五スライド溝が連通し設けられ、前記第五スライド溝の中には前記第一スライドロッドと固定的に連結された第二スライドロッドがスライドできるように設けられ、前記第二スライドロッドと前記第三円盤の左端面とが接触している。
【発明の効果】
【０００８】
本発明の便利な茶入れティーカップは反応が速く、操作が簡単で明白であり、茶入の効率が高く、同時に、本発明の自動化程度が高く、実用性が強い。
【図面の簡単な説明】
【０００９】
説明しやすいため、本発明は以下の具体的な実施例と付図を交え詳しく説明する。
【００１０】
【図１】図１は本発明の便利な茶入れティーカップの全体構成略図
【図２】図２は図１のＡの拡大構成略図
【図３】図３は図２のＢの拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下、図１−３を合わせて本発明について詳しく説明し、また、説明の便利を図るため、下記に記載の上下左右前後方向が図１自身の投影関係の上下左右前後方向と一致することにする。
【００１３】
図１−３を参照し、本発明の便利な茶入れティーカップは、ティーカップ本体１３を含み、前記ティーカップ本体１３の中には上方に開口した水チャンバ１６が設けられ、前記水チャンバ１６の左端壁の中にはスライドチャンバ１２が設けられ、前記スライドチャンバ１２の中には第一磁石ブロック１１がスライドできるように設けられ、前記第一磁石ブロック１１と前記スライドチャンバ１２の頂壁との間には第一バネ１０が連結され、前記水チャンバ１６の底壁の中には第一空きチャンバ５３と、前記第一空きチャンバ５３の右側に位置している第二空きチャンバ７２とが設けられ、前記スライドチャンバ１２と前記第一空きチャンバ５３との間には左右に伸びている第一回転軸１８が回転できるように設けられ、前記第一回転軸１８の左端にはリール１７が固定的に設けられ、前記第一回転軸１８の右端には第一円盤４６が固定的に設けられ、前記リール１７と前記第一磁石ブロック１１との間には鋼線１４が連結され、前記第一円盤４６の中には右方に開口した円形凹溝４９が設けられ、前記円形凹溝４９の中にはインナーラチェット４５が設けられ、前記第二空きチャンバ７２と前記第一空きチャンバ５３との間には左右に伸びているスプライン軸５６が回転できるように設けられ、前記スプライン軸５６の左端には第二円盤５５と前記第二円盤５５の左端に位置しスライドできるように設けられた第一スプラインスリーブ５７とが固定的に設けられ、前記第一スプラインスリーブ５７の左端には第三円盤５８が固定的に設けられ、前記第三円盤５８と前記第二円盤５５の左端面との間には第二バネ５４が連結され、前記第三円盤５８の左端壁の中には第二回転軸４７が回転できるように設けられ、前記第二回転軸４７には前記インナーラチェット４５と噛み合う歯止め４８が固定的に設けられ、前記歯止め４８と前記第三円盤５８の左端面との間には第三バネ５１が連結され、前記スプライン軸５６の右端には歯車６６が固定的に設けられ、前記第二空きチャンバ７２と前記水チャンバ１６との間には第一スライド溝６１が連通し設けられ、前記第一スライド溝６１の周囲には密封リング６０が設けられ、前記第一スライド溝６１の中には第二磁石ブロック５９がスライドできるように設けられ、前記第二磁石ブロック５９の底端には前記歯車６６と噛合するロック歯６５が固定的に設けられ、前記第一スライド溝６１の右端壁には第二スライド溝６４が連通し設けられ、前記第二スライド溝６４の中には前記第二磁石ブロック５９と固定的に連結された第一スライドブロック６２がスライドできるように設けられ、前記第一スライドブロック６２と前記第二スライド溝６４の底面との間には第四バネ６３が連結され、前記第二空きチャンバ７２の右端壁の中にはモーター２５が設けられ、前記第二空きチャンバ７２の右端壁には前記モーター２５と動力が伝達できるように連結された第一主動軸６７が回転できるように設けられ、前記第一主動軸６７には第一磁石盤６９が固定的に設けられ、前記第二空きチャンバ７２の中には前記スプライン軸５６、前記第一主動軸６７と噛み合う第二スプラインスリーブ６８が設けられ、前記第二スプラインスリーブ６８には第二磁石盤７１が固定的に設けられ、前記第二磁石盤７１と前記第一磁石盤６９の左端面との間には第五バネ７０が連結される。
【００１４】
有益的には、前記水チャンバ１６の右端壁の中には第三空きチャンバ２６が設けられ、前記第三空きチャンバ２６の左端壁には前記モーター２５と動力が伝達できるように連結された第二主動軸２７が回転できるように設けられ、前記第二主動軸２７の右端には第一プーリー２８が固定的に設けられ、前記第三空きチャンバ２６の上側の左右端壁の間には第三回転軸３３が回転できるように設けられ、前記第三回転軸３３には第四円盤３１と前記第四円盤３１の右端に位置している第二プーリー３２とが固定的に設けられ、前記第四円盤３１と前記第二プーリー３２との間にはベルト２９が設けられ、前記第四円盤３１には第三磁石ブロック３０が上下に対称的に固定的に設けられ、前記水チャンバ１６の後端には第三スライド溝１５が左右に対称的に連通し設けられ、前記第三スライド溝１５の中には第二スライドブロック４３がスライドできるように設けられ、左側の前記第二スライドブロック４３の左端には前記第一磁石ブロック１１と吸引し合う金属シート４４が固定的に設けられ、二つの前記第二スライドブロック４３の間には第四回転軸４２が回転できるように設けられ、前記第四回転軸４２には小型ケース３６と前記小型ケース３６の右側に位置している第五円盤３５とが固定的に設けられ、前記小型ケース３６の中には前記水チャンバ１６を連通する第一抜き穴３７が設けられ、前記小型ケース３６の頂端にケース蓋４０を取り付けることができ、前記ケース蓋４０には第二抜き穴３９が上下に貫通し設けられ、前記第五円盤３５には前記第三磁石ブロック３０と吸引し合う第四磁石ブロック３４が上下に対称的に固定し設けられる。
【００１５】
有益的には、前記水チャンバ１６の底壁には右方に開口した排水穴２３が連通し設けられ、前記第一空きチャンバ５３の底壁の中には左方に開口した第四スライド溝２１が設けられ、前記第四スライド溝２１が前記排水穴２３を貫通し、前記第四スライド溝２１の中には第一スライドロッド２０がスライドできるように設けられ、前記第一スライドロッド２０の中には上下に貫通している第三抜き穴２２が設けられ、前記第一スライドロッド２０と前記第四スライド溝２１の右端壁との間には第六バネ２４が連結され、前記第四スライド溝２１と前記第一空きチャンバ５３との間には第五スライド溝１９が連通し設けられ、前記第五スライド溝１９の中には前記第一スライドロッド２０と固定的に連結された第二スライドロッド５２がスライドできるように設けられ、前記第二スライドロッド５２と前記第三円盤５８の左端面とが接触している。
【００１６】
以下、付図及び上記説明した本申請の便利な茶入れティーカップの具体的な構成を参照し、便利な茶入れティーカップの使用方法を紹介する：
【００１７】
茶葉を小型ケース３６の中に入れ、ケース蓋４０を閉め、そしてモーター２５を作動させ、モーター２５が第一主動軸６７を回転連動させ、第一主動軸６７が第二スプラインスリーブ６８によってスプライン軸５６を回転連動させ、スプライン軸５６が歯止め４８とインナーラチェット４５との係合によって第一回転軸１８を回転連動させ、第一磁石ブロック１１が引かれて下へスライドし、第一磁石ブロック１１が金属シート４４を吸着して第二スライドブロック４３を下にスライド連動させ、小型ケース３６が第二磁石ブロック５９を押すまで、ロック歯６５が歯車６６をロックし、小型ケース３６が下に水チャンバ１６の底部までスライドし、茶葉を湯の中に入れる。
【００１８】
同時に、第五円盤３５が下にスライドして第四磁石ブロック３４と第三磁石ブロック３０とを互いに吸着させ、その時に第三磁石ブロック３０が第五円盤３５を回転連動させることができ、モーター２５が第二主動軸２７を回転連動させ、第二主動軸２７が第一プーリー２８を回転連動させ、第一プーリー２８がベルト２９によって第四円盤３１と第二プーリー３２とを回転連動させ、第四円盤３１が第三磁石ブロック３０を回転連動させ、第三磁石ブロック３０が第四磁石ブロック３４を回転連動させ、第四回転軸４２が回転しはじめて茶葉を湯の中に回転し混合させ、茶入の効率を高める。
【００１９】
そしてモーター２５を止め、小型ケース３６が回転を止めた後に、第一スライドロッド２０を押し、第一スライドロッド２０が右にスライドして第三抜き穴２２を排水穴２３に連通させ、水チャンバ１６の中の茶が排水穴２３を通して流出し、同時に第二スライドロッド５２が右にスライドして第三円盤５８を右にスライドさせ、第三円盤５８が歯止め４８とインナーラチェット４５とを噛合状態から離脱させ、リール１７が反転でき、第一磁石ブロック１１が第一バネ１０の牽引力により跳ね返り、ティーカップが初期状態に戻り、改めて茶を入れることができる。
【００２０】
上記のように、本発明の便利な茶入れティーカップは反応が速く、操作が簡単で明白であり、茶入の効率が高く、同時に、本発明の自動化程度が高く、実用性が強い。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179073.tif 000003
【図２】
2020179073.tif 000004
【図３】
2020179073.tif 000005
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
ティーカップ本体を含み、前記ティーカップ本体の中には上方に開口した水チャンバが設けられ、前記水チャンバの左端壁の中にはスライドチャンバが設けられ、前記スライドチャンバの中には第一磁石ブロックがスライドできるように設けられ、前記第一磁石ブロックと前記スライドチャンバの頂壁との間には第一バネが連結され、前記水チャンバの底壁の中には第一空きチャンバと、前記第一空きチャンバの右側に位置している第二空きチャンバとが設けられ、前記スライドチャンバと前記第一空きチャンバとの間には左右に伸びている第一回転軸が回転できるように設けられ、前記第一回転軸の左端にはリールが固定的に設けられ、前記第一回転軸の右端には第一円盤が固定的に設けられ、前記リールと前記第一磁石ブロックとの間には鋼線が連結され、前記第一円盤の中には右方に開口した円形凹溝が設けられ、前記円形凹溝の中にはインナーラチェットが設けられ、前記第二空きチャンバと前記第一空きチャンバとの間には左右に伸びているスプライン軸が回転できるように設けられ、前記スプライン軸の左端には第二円盤と前記第二円盤の左端に位置しスライドできるように設けられた第一スプラインスリーブとが固定的に設けられ、前記第一スプラインスリーブの左端には第三円盤が固定的に設けられ、前記第三円盤と前記第二円盤の左端面との間には第二バネが連結され、前記第三円盤の左端壁の中には第二回転軸が回転できるように設けられ、前記第二回転軸には前記インナーラチェットと噛み合う歯止めが固定的に設けられ、前記歯止めと前記第三円盤の左端面との間には第三バネが連結され、前記スプライン軸の右端には歯車が固定的に設けられ、前記第二空きチャンバと前記水チャンバとの間には第一スライド溝が連通し設けられ、前記第一スライド溝の周囲には密封リングが設けられ、前記第一スライド溝の中には第二磁石ブロックがスライドできるように設けられ、前記第二磁石ブロックの底端には前記歯車と噛合するロック歯が固定的に設けられ、前記第一スライド溝の右端壁には第二スライド溝が連通し設けられ、前記第二スライド溝の中には前記第二磁石ブロックと固定的に連結された第一スライドブロックがスライドできるように設けられ、前記第一スライドブロックと前記第二スライド溝の底面との間には第四バネが連結され、前記第二空きチャンバの右端壁の中にはモーターが設けられ、前記第二空きチャンバの右端壁には前記モーターと動力が伝達できるように連結された第一主動軸が回転できるように設けられ、前記第一主動軸には第一磁石盤が固定的に設けられ、前記第二空きチャンバの中には前記スプライン軸、前記第一主動軸と噛み合う第二スプラインスリーブが設けられ、前記第二スプラインスリーブには第二磁石盤が固定的に設けられ、前記第二磁石盤と前記第一磁石盤の左端面との間には第五バネが連結され、これにより、前記モーターが前記リールを回転連動させ、前記リールが前記鋼線を巻き、前記鋼線が前記第一磁石ブロックを下にスライドさせ、
前記水チャンバの右端壁の中には第三空きチャンバが設けられ、前記第三空きチャンバの左端壁には前記モーターと動力が伝達できるように連結された第二主動軸が回転できるように設けられ、前記第二主動軸の右端には第一プーリーが固定的に設けられ、前記第三空きチャンバの上側の左右端壁の間には第三回転軸が回転できるように設けられ、前記第三回転軸には第四円盤と前記第四円盤の右端に位置している第二プーリーとが固定的に設けられ、前記第四円盤と前記第二プーリーとの間にはベルトが設けられ、前記第四円盤には第三磁石ブロックが上下に対称的に固定的に設けられ、前記水チャンバの後端には第三スライド溝が左右に対称的に連通し設けられ、前記第三スライド溝の中には第二スライドブロックがスライドできるように設けられ、左側の前記第二スライドブロックの左端には前記第一磁石ブロックと吸引し合う金属シートが固定的に設けられ、二つの前記第二スライドブロックの間には第四回転軸が回転できるように設けられ、前記第四回転軸には小型ケースと前記小型ケースの右側に位置している第五円盤とが固定的に設けられ、前記小型ケースの中には前記水チャンバを連通する第一抜き穴が設けられ、前記小型ケースの頂端にケース蓋を取り付けることができ、前記ケース蓋には第二抜き穴が上下に貫通し設けられ、前記第五円盤には前記第三磁石ブロックと吸引し合う第四磁石ブロックが上下に対称的に固定し設けられ、これにより、前記第一磁石ブロックが前記金属シートを下にスライド連動させ、同時に前記第三磁石ブロックが前記第四磁石ブロックを回転連動させ、すなわち前記第二スライドブロックが下にスライドし、前記第四回転軸が回転し、
前記水チャンバの底壁には右方に開口した排水穴が連通し設けられ、前記第一空きチャンバの底壁の中には左方に開口した第四スライド溝が設けられ、前記第四スライド溝が前記排水穴を貫通し、前記第四スライド溝の中には第一スライドロッドがスライドできるように設けられ、前記第一スライドロッドの中には上下に貫通している第三抜き穴が設けられ、前記第一スライドロッドと前記第四スライド溝の右端壁との間には第六バネが連結され、前記第四スライド溝と前記第一空きチャンバとの間には第五スライド溝が連通し設けられ、前記第五スライド溝の中には前記第一スライドロッドと固定的に連結された第二スライドロッドがスライドできるように設けられ、前記第二スライドロッドと前記第三円盤の左端面とが接触しており、これにより、前記第一スライドロッドが右にスライドし前記第三抜き穴と前記排水穴とを連通させ、前記排水穴が排水し、同時に前記第二スライドロッドが右にスライドし前記歯止めと前記インナーラチェットとを係合状態から離脱させ、前記リールが反転でき前記第一磁石ブロックを上にスライドさせて跳ね返させることを特徴とする便利な茶入れティーカップ。
【手続補正２】
【補正対象書類名】明細書
【補正対象項目名】全文
【補正方法】変更
【補正の内容】
【発明の詳細な説明】
【技術分野】
【０００１】
本発明は日常用品分野を取り上げて、具体的には便利な茶入れティーカップである。
【背景技術】
【０００２】
伝統的なティーカップは機能が単一であり、茶を入れる時にマドラーを利用し、又は茶と水との混合時間を増やして茶葉と湯とを充分に混合させ、茶入れ効率が低く、時間が長く、そのほか、伝統的なティーカップは茶を入れる自動化程度が低く、茶葉を添加する時に定量的な標準がなく、同じ体積の茶と水の場合、一般的なティーカップで作った茶の口当たりが大きく違い、従って、便利な茶入れティーカップを設計して上記の問題を解決する。
【先行技術文献】
【特許文献】
【０００３】
【特許文献１】中国特許出願公開第１０５０５４７１９号明細書
【発明の概要】
【発明が解決しようとする課題】
【０００４】
本発明の目的は便利な茶入れティーカップを提供し、それは上記の現在の技術中の問題を解決できる。
【課題を解決するための手段】
【０００５】
上記の課題を解決するため、本発明は以下の技術プランを採用する：本発明の便利な茶入れティーカップは、ティーカップ本体を含み、前記ティーカップ本体の中には上方に開口した水チャンバが設けられ、前記水チャンバの左端壁の中にはスライドチャンバが設けられ、前記スライドチャンバの中には第一磁石ブロックがスライドできるように設けられ、前記第一磁石ブロックと前記スライドチャンバの頂壁との間には第一バネが連結され、前記水チャンバの底壁の中には第一空きチャンバと、前記第一空きチャンバの右側に位置している第二空きチャンバとが設けられ、前記スライドチャンバと前記第一空きチャンバとの間には左右に伸びている第一回転軸が回転できるように設けられ、前記第一回転軸の左端にはリールが固定的に設けられ、前記第一回転軸の右端には第一円盤が固定的に設けられ、前記リールと前記第一磁石ブロックとの間には鋼線が連結され、前記第一円盤の中には右方に開口した円形凹溝が設けられ、前記円形凹溝の中にはインナーラチェットが設けられ、前記第二空きチャンバと前記第一空きチャンバとの間には左右に伸びているスプライン軸が回転できるように設けられ、前記スプライン軸の左端には第二円盤と前記第二円盤の左端に位置しスライドできるように設けられた第一スプラインスリーブとが固定的に設けられ、前記第一スプラインスリーブの左端には第三円盤が固定的に設けられ、前記第三円盤と前記第二円盤の左端面との間には第二バネが連結され、前記第三円盤の左端壁の中には第二回転軸が回転できるように設けられ、前記第二回転軸には前記インナーラチェットと噛み合う歯止めが固定的に設けられ、前記歯止めと前記第三円盤の左端面との間には第三バネが連結され、前記スプライン軸の右端には歯車が固定的に設けられ、前記第二空きチャンバと前記水チャンバとの間には第一スライド溝が連通し設けられ、前記第一スライド溝の周囲には密封リングが設けられ、前記第一スライド溝の中には第二磁石ブロックがスライドできるように設けられ、前記第二磁石ブロックの底端には前記歯車と噛合するロック歯が固定的に設けられ、前記第一スライド溝の右端壁には第二スライド溝が連通し設けられ、前記第二スライド溝の中には前記第二磁石ブロックと固定的に連結された第一スライドブロックがスライドできるように設けられ、前記第一スライドブロックと前記第二スライド溝の底面との間には第四バネが連結され、前記第二空きチャンバの右端壁の中にはモーターが設けられ、前記第二空きチャンバの右端壁には前記モーターと動力が伝達できるように連結された第一主動軸が回転できるように設けられ、前記第一主動軸には第一磁石盤が固定的に設けられ、前記第二空きチャンバの中には前記スプライン軸、前記第一主動軸と噛み合う第二スプラインスリーブが設けられ、前記第二スプラインスリーブには第二磁石盤が固定的に設けられ、前記第二磁石盤と前記第一磁石盤の左端面との間には第五バネが連結される。
【０００６】
優選の技術プランとして、前記水チャンバの右端壁の中には第三空きチャンバが設けられ、前記第三空きチャンバの左端壁には前記モーターと動力が伝達できるように連結された第二主動軸が回転できるように設けられ、前記第二主動軸の右端には第一プーリーが固定的に設けられ、前記第三空きチャンバの上側の左右端壁の間には第三回転軸が回転できるように設けられ、前記第三回転軸には第四円盤と前記第四円盤の右端に位置している第二プーリーとが固定的に設けられ、前記第四円盤と前記第二プーリーとの間にはベルトが設けられ、前記第四円盤には第三磁石ブロックが上下に対称的に固定的に設けられ、前記水チャンバの後端には第三スライド溝が左右に対称的に連通し設けられ、前記第三スライド溝の中には第二スライドブロックがスライドできるように設けられ、左側の前記第二スライドブロックの左端には前記第一磁石ブロックと吸引し合う金属シートが固定的に設けられ、二つの前記第二スライドブロックの間には第四回転軸が回転できるように設けられ、前記第四回転軸には小型ケースと前記小型ケースの右側に位置している第五円盤とが固定的に設けられ、前記小型ケースの中には前記水チャンバを連通する第一抜き穴が設けられ、前記小型ケースの頂端にケース蓋を取り付けることができ、前記ケース蓋には第二抜き穴が上下に貫通し設けられ、前記第五円盤には前記第三磁石ブロックと吸引し合う第四磁石ブロックが上下に対称的に固定し設けられる。
【０００７】
優選の技術プランとして、前記水チャンバの底壁には右方に開口した排水穴が連通し設けられ、前記第一空きチャンバの底壁の中には左方に開口した第四スライド溝が設けられ、前記第四スライド溝が前記排水穴を貫通し、前記第四スライド溝の中には第一スライドロッドがスライドできるように設けられ、前記第一スライドロッドの中には上下に貫通している第三抜き穴が設けられ、前記第一スライドロッドと前記第四スライド溝の右端壁との間には第六バネが連結され、前記第四スライド溝と前記第一空きチャンバとの間には第五スライド溝が連通し設けられ、前記第五スライド溝の中には前記第一スライドロッドと固定的に連結された第二スライドロッドがスライドできるように設けられ、前記第二スライドロッドと前記第三円盤の左端面とが接触している。
【発明の効果】
【０００８】
本発明の便利な茶入れティーカップは反応が速く、操作が簡単で明白であり、茶入の効率が高く、同時に、本発明の自動化程度が高く、実用性が強い。
【図面の簡単な説明】
【０００９】
説明しやすいため、本発明は以下の具体的な実施例と付図を交え詳しく説明する。
【００１０】
【図１】図１は本発明の便利な茶入れティーカップの全体構成略図
【図２】図２は図１のＡの拡大構成略図
【図３】図３は図１のＢの拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下、図１−３を合わせて本発明について詳しく説明し、また、説明の便利を図るため、下記に記載の上下左右前後方向が図１自身の投影関係の上下左右前後方向と一致することにする。
【００１３】
図１−３を参照し、本発明の便利な茶入れティーカップは、ティーカップ本体１３を含み、前記ティーカップ本体１３の中には上方に開口した水チャンバ１６が設けられ、前記水チャンバ１６の左端壁の中にはスライドチャンバ１２が設けられ、前記スライドチャンバ１２の中には第一磁石ブロック１１がスライドできるように設けられ、前記第一磁石ブロック１１と前記スライドチャンバ１２の頂壁との間には第一バネ１０が連結され、前記水チャンバ１６の底壁の中には第一空きチャンバ５３と、前記第一空きチャンバ５３の右側に位置している第二空きチャンバ７２とが設けられ、前記スライドチャンバ１２と前記第一空きチャンバ５３との間には左右に伸びている第一回転軸１８が回転できるように設けられ、前記第一回転軸１８の左端にはリール１７が固定的に設けられ、前記第一回転軸１８の右端には第一円盤４６が固定的に設けられ、前記リール１７と前記第一磁石ブロック１１との間には鋼線１４が連結され、前記第一円盤４６の中には右方に開口した円形凹溝４９が設けられ、前記円形凹溝４９の中にはインナーラチェット４５が設けられ、前記第二空きチャンバ７２と前記第一空きチャンバ５３との間には左右に伸びているスプライン軸５６が回転できるように設けられ、前記スプライン軸５６の左端には第二円盤５５と前記第二円盤５５の左端に位置しスライドできるように設けられた第一スプラインスリーブ５７とが固定的に設けられ、前記第一スプラインスリーブ５７の左端には第三円盤５８が固定的に設けられ、前記第三円盤５８と前記第二円盤５５の左端面との間には第二バネ５４が連結され、前記第三円盤５８の左端壁の中には第二回転軸４７が回転できるように設けられ、前記第二回転軸４７には前記インナーラチェット４５と噛み合う歯止め４８が固定的に設けられ、前記歯止め４８と前記第三円盤５８の左端面との間には第三バネ５１が連結され、前記スプライン軸５６の右端には歯車６６が固定的に設けられ、前記第二空きチャンバ７２と前記水チャンバ１６との間には第一スライド溝６１が連通し設けられ、前記第一スライド溝６１の周囲には密封リング６０が設けられ、前記第一スライド溝６１の中には第二磁石ブロック５９がスライドできるように設けられ、前記第二磁石ブロック５９の底端には前記歯車６６と噛合するロック歯６５が固定的に設けられ、前記第一スライド溝６１の右端壁には第二スライド溝６４が連通し設けられ、前記第二スライド溝６４の中には前記第二磁石ブロック５９と固定的に連結された第一スライドブロック６２がスライドできるように設けられ、前記第一スライドブロック６２と前記第二スライド溝６４の底面との間には第四バネ６３が連結され、前記第二空きチャンバ７２の右端壁の中にはモーター２５が設けられ、前記第二空きチャンバ７２の右端壁には前記モーター２５と動力が伝達できるように連結された第一主動軸６７が回転できるように設けられ、前記第一主動軸６７には第一磁石盤６９が固定的に設けられ、前記第二空きチャンバ７２の中には前記スプライン軸５６、前記第一主動軸６７と噛み合う第二スプラインスリーブ６８が設けられ、前記第二スプラインスリーブ６８には第二磁石盤７１が固定的に設けられ、前記第二磁石盤７１と前記第一磁石盤６９の左端面との間には第五バネ７０が連結される。
【００１４】
有益的には、前記水チャンバ１６の右端壁の中には第三空きチャンバ２６が設けられ、前記第三空きチャンバ２６の左端壁には前記モーター２５と動力が伝達できるように連結された第二主動軸２７が回転できるように設けられ、前記第二主動軸２７の右端には第一プーリー２８が固定的に設けられ、前記第三空きチャンバ２６の上側の左右端壁の間には第三回転軸３３が回転できるように設けられ、前記第三回転軸３３には第四円盤３１と前記第四円盤３１の右端に位置している第二プーリー３２とが固定的に設けられ、前記第四円盤３１と前記第二プーリー３２との間にはベルト２９が設けられ、前記第四円盤３１には第三磁石ブロック３０が上下に対称的に固定的に設けられ、前記水チャンバ１６の後端には第三スライド溝１５が左右に対称的に連通し設けられ、前記第三スライド溝１５の中には第二スライドブロック４３がスライドできるように設けられ、左側の前記第二スライドブロック４３の左端には前記第一磁石ブロック１１と吸引し合う金属シート４４が固定的に設けられ、二つの前記第二スライドブロック４３の間には第四回転軸４２が回転できるように設けられ、前記第四回転軸４２には小型ケース３６と前記小型ケース３６の右側に位置している第五円盤３５とが固定的に設けられ、前記小型ケース３６の中には前記水チャンバ１６を連通する第一抜き穴３７が設けられ、前記小型ケース３６の頂端にケース蓋４０を取り付けることができ、前記ケース蓋４０には第二抜き穴３９が上下に貫通し設けられ、前記第五円盤３５には前記第三磁石ブロック３０と吸引し合う第四磁石ブロック３４が上下に対称的に固定し設けられる。
【００１５】
有益的には、前記水チャンバ１６の底壁には右方に開口した排水穴２３が連通し設けられ、前記第一空きチャンバ５３の底壁の中には左方に開口した第四スライド溝２１が設けられ、前記第四スライド溝２１が前記排水穴２３を貫通し、前記第四スライド溝２１の中には第一スライドロッド２０がスライドできるように設けられ、前記第一スライドロッド２０の中には上下に貫通している第三抜き穴２２が設けられ、前記第一スライドロッド２０と前記第四スライド溝２１の右端壁との間には第六バネ２４が連結され、前記第四スライド溝２１と前記第一空きチャンバ５３との間には第五スライド溝１９が連通し設けられ、前記第五スライド溝１９の中には前記第一スライドロッド２０と固定的に連結された第二スライドロッド５２がスライドできるように設けられ、前記第二スライドロッド５２と前記第三円盤５８の左端面とが接触している。
【００１６】
以下、付図及び上記説明した本申請の便利な茶入れティーカップの具体的な構成を参照し、便利な茶入れティーカップの使用方法を紹介する：
【００１７】
茶葉を小型ケース３６の中に入れ、ケース蓋４０を閉め、そしてモーター２５を作動させ、モーター２５が第一主動軸６７を回転連動させ、第一主動軸６７が第二スプラインスリーブ６８によってスプライン軸５６を回転連動させ、スプライン軸５６が歯止め４８とインナーラチェット４５との係合によって第一回転軸１８を回転連動させ、第一磁石ブロック１１が引かれて下へスライドし、第一磁石ブロック１１が金属シート４４を吸着して第二スライドブロック４３を下にスライド連動させ、小型ケース３６が第二磁石ブロック５９を押すまで、ロック歯６５が歯車６６をロックし、小型ケース３６が下に水チャンバ１６の底部までスライドし、茶葉を湯の中に入れる。
【００１８】
同時に、第五円盤３５が下にスライドして第四磁石ブロック３４と第三磁石ブロック３０とを互いに吸着させ、その時に第三磁石ブロック３０が第五円盤３５を回転連動させることができ、モーター２５が第二主動軸２７を回転連動させ、第二主動軸２７が第一プーリー２８を回転連動させ、第一プーリー２８がベルト２９によって第四円盤３１と第二プーリー３２とを回転連動させ、第四円盤３１が第三磁石ブロック３０を回転連動させ、第三磁石ブロック３０が第四磁石ブロック３４を回転連動させ、第四回転軸４２が回転しはじめて茶葉を湯の中に回転し混合させ、茶入の効率を高める。
【００１９】
そしてモーター２５を止め、小型ケース３６が回転を止めた後に、第一スライドロッド２０を押し、第一スライドロッド２０が右にスライドして第三抜き穴２２を排水穴２３に連通させ、水チャンバ１６の中の茶が排水穴２３を通して流出し、同時に第二スライドロッド５２が右にスライドして第三円盤５８を右にスライドさせ、第三円盤５８が歯止め４８とインナーラチェット４５とを噛合状態から離脱させ、リール１７が反転でき、第一磁石ブロック１１が第一バネ１０の牽引力により跳ね返り、ティーカップが初期状態に戻り、改めて茶を入れることができる。
【００２０】
上記のように、本発明の便利な茶入れティーカップは反応が速く、操作が簡単で明白であり、茶入の効率が高く、同時に、本発明の自動化程度が高く、実用性が強い。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。